Podtech/llm-jp-corpus-v4-ja_patent huggingface dataset:
【手続補正書】
【提出日】平成18年5月9日(2006.5.9)
【手続補正１】
【補正対象書類名】明細書
【補正対象項目名】特許請求の範囲
【補正方法】変更
【補正の内容】
【特許請求の範囲】
【請求項１】  ポリカーボネートおよび／またはポリエステルカーボネート、グラフトポリマー、ホスファゼンおよび２００ｎｍ以下の平均粒子直径を有する無機粉体を含んでなる熱可塑性成形用組成物。
【請求項２】  Ａ）  芳香族ポリカーボネートおよび／またはポリエステルカーボネート４０〜９９重量部、
Ｂ）  Ｂ．１）  １種または２種以上のビニルモノマー５〜９５重量％と、
Ｂ．２）  １０℃未満のガラス転移温度を有する１種または２種以上のグラフト主鎖９５〜５重量％とのグラフトポリマー０．５〜６０重量部、
Ｃ）  ビニル（コ）ポリマーおよびポリアルキレンテレフタレートからなる群から選択される少なくとも１種の熱可塑性ポリマー０〜４５重量部、
Ｄ）  式：
【化１】
2002519461.tif 000001
【化２】
2002519461.tif 000002
［式中、Ｒはそれぞれの場合に同一または異なり、アミノ、Ｃ1−Ｃ8アルキル（それぞれ、場合によりハロゲン化されている）、またはＣ1−Ｃ8アルコキシ、Ｃ5−Ｃ6シクロアルキル、Ｃ6−Ｃ20アリール、フェノキシ、ナフチロキシ、またはＣ7−Ｃ12アラルキル（それぞれ、場合によりアルキルおよび／またはハロゲンで置換されている）を示し、
ｋは、０または１〜１５の数を示す。］
で示されるホスファゼンからなる群から選択される少なくとも１種の成分０．１〜５０重量部、
Ｅ）  ２００ｎｍ以下の平均粒子直径を有する非常に微細な無機粉体０．５〜４０重量部、ならびに
Ｆ）  フッ素化ポリオレフィン０〜５重量部
を含んでなる請求項１に記載の熱可塑性成形用組成物。
【請求項３】  ビニルモノマーＢ．１．が、
Ｂ．１．１  ビニル芳香族および／または環置換ビニル芳香族および／またはメタクリル酸（Ｃ1−Ｃ8）−アルキルエステル５０〜９９重量部、ならびに
Ｂ．１．２  ビニルシアン化物および／または（メタ）アクリル酸（Ｃ1−Ｃ8）アルキルエステルおよび／または不飽和カルボン酸の誘導体１〜５０重量部
から調製された混合物である請求項１および２のいずれかに記載の成形用組成物。
【請求項４】  成分Ｅが、周期律表の第１〜第５主族または第１〜第８亜族の１種または２種以上の金属と、酸素、水素、硫黄、リン、ホウ素、炭素、窒素またはケイ素から選択される少なくとも１種の元素との少なくとも１種の極性化合物から選択される請求項１〜３のいずれかに記載の成形用組成物。
【請求項５】  成分Ｅが、少なくとも１種の酸化物、水酸化物、含水酸化物、硫酸塩、亜硫酸塩、硫化物、炭酸塩、カーバイド、硝酸塩、亜硝酸塩、窒化物、硼酸塩、ケイ酸塩、リン酸塩、水素化物、亜リン酸塩およびホスホン酸塩からなる群から選択される請求項１〜４のいずれかに記載の成形用組成物。
【請求項６】  潤滑剤および離型剤、核剤、帯電防止剤、安定剤、染料および顔料からなる群から選択される少なくとも１種の添加剤を含む請求項１〜５のいずれかに記載の成形用組成物。
【請求項７】  成形品の製造のための請求項１に記載の成形用組成物の使用。
【請求項８】  請求項１〜５のいずれかに記載の成形用組成物から製造された成形品。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  Ａ）  芳香族ポリカーボネートおよび／またはポリエステルカーボネート４０〜９９重量部、
Ｂ）  Ｂ．１）  １種または２種以上のビニルモノマー５〜９５重量％と、
Ｂ．２）  １０℃未満のガラス転移温度を有する１種または２種以上のグラフト主鎖９５〜５重量％とのグラフトポリマー０．５〜６０重量部、
Ｃ）  ビニル（コ）ポリマーおよびポリアルキレンテレフタレートからなる群から選択される少なくとも１種の熱可塑性ポリマー０〜４５重量部、
Ｄ）  式：
【化１】
2002519464.tif 000001
【化２】
2002519464.tif 000002
［式中、Ｒはそれぞれの場合に同一または異なり、アミノ、Ｃ1−Ｃ8アルキル（それぞれ、場合によりハロゲン化されている）、またはＣ1−Ｃ8アルコキシ、Ｃ5−Ｃ6シクロアルキル、Ｃ6−Ｃ20アリール、Ｃ6−Ｃ20アリールオキシまたはＣ7−Ｃ12アラルキル（それぞれ、場合によりアルキルおよび／またはハロゲンで置換されている）を示し、
ｋは、０または１〜１５の数を示す。］
で示されるホスファゼンからなる群から選択される少なくとも１種の成分０．１〜５０重量部、
Ｅ）一般式（ＩＩａ）、（ＩＩｂ）、（ＩＩｃ）および（ＩＩｄ）：
【化３】
2002519464.tif 000003
［式中、Ｒ1、Ｒ2、Ｒ3およびＲ4は互いに独立して、Ｃ1−Ｃ8アルキル（それぞれ、場合によりハロゲン化されている）、Ｃ5−Ｃ6シクロアルキル、Ｃ6−Ｃ20アリールまたはＣ7−Ｃ12アラルキル（それぞれ、場合によりアルキルおよび／またはハロゲンで置換されている）を示し、
ｎは、互いに独立して０または１を示し、
Ｎは、０〜３０を示し、
Ｘは、６〜３０個の炭素原子を有する単環または多環芳香族残基を示す。］
【化４】
2002519464.tif 000004
【化５】
2002519464.tif 000005
【化６】
2002519464.tif 000006
［式中、Ｒ5およびＲ6は、互いに独立して、Ｃ1−Ｃ24アルキル（それぞれ、場合によりハロゲン化されている）、Ｃ5−Ｃ6シクロアルキル、Ｃ6−Ｃ20アリールまたはＣ7−Ｃ12アラルキル（それぞれ、場合によりハロゲンおよび／またはＣ1−Ｃ10アルキルで置換されている）を示すか、または
Ｒ5およびＲ6は、式（ＩＩｄ）の場合、アルキル鎖を形成し、
Ｍｅは、周期律表の第１〜第３主族および第ＶＩＩＩ、１Ｂおよび２Ｂ亜族から選択される金属を示し、
ｑが金属イオンの価数によって決定される。］
から選択される少なくとも１種のリン化合物０．５〜２０重量部
ならびに
Ｆ）  フッ素化ポリオレフィン０．０５〜５重量部
を含んでなる熱可塑性成形用組成物。
【請求項２】  成分Ｂの平均粒子直径ｄ50が０．０５〜５μｍである請求項１に記載の成形用組成物。
【請求項３】  ビニルモノマーＢ．１．が、
Ｂ．１．１  ビニル芳香族および／または環置換ビニル芳香族および／またはメタクリル酸（Ｃ1−Ｃ4）−アルキルエステル５０〜９９重量部、ならびに
Ｂ．１．２  ビニルシアン化物および／または（メタ）アクリル酸（Ｃ1−Ｃ8）アルキルエステルおよび／または不飽和カルボン酸の誘導体１〜５０重量部
から調製された混合物である請求項１および２のいずれかに記載の成形用組成物。
【請求項４】  潤滑剤および離型剤、核剤、帯電防止剤、安定剤、染料および顔料からなる群から選択される少なくとも１種の添加剤を含む請求項１〜３のいずれかに記載の成形用組成物。
【請求項５】  成形品の製造のための請求項１に記載の成形用組成物の使用。
【請求項６】  請求項１〜４のいずれかに記載の成形用組成物から製造された成形品。
【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  一般式Ｉ
【化１】
2002519407.tif 000001
（式中、Ｘ1およびＸ2のうちの１つがＭｅＳＯ2、およびほかの１つがハロゲン、ならびにＸ3が水素またはハロゲンである）の化合物。
【請求項２】  Ｘ1がハロゲン、Ｘ2がＭｅＳＯ2、およびＸ3が水素である請求項１記載の化合物。
【請求項３】  ３−{[３−フルオロ−４−(メチルスルホニル)−フェニル]メチレン}−２，４−ペンタンジオンである請求項１記載の化合物。
【請求項４】  ３−{[３−クロロ−４−(メチルスルホニル)−フェニル]メチレン}−２，４−ペンタンジオンである請求項１記載の化合物。
【請求項５】  ３−{[３−ブロモ−４−(メチルスルホニル)−フェニル]メチレン}−２，４−ペンタンジオンである請求項１記載の化合物。
【請求項６】  ３−{[３，５−ジクロロ−４−(メチルスルホニル)フェニル]メチレン}−２，４−ペンタンジオンである請求項１記載の化合物。
【請求項７】  ３−{[４−クロロ−３−(メチルスルホニル)−フェニル]メチレン}−２，４−ペンタンジオンである請求項１記載の化合物。
【請求項８】  請求項１記載の化合物を含有し、その約１００％が１０μｍ以下の粒子サイズを有し、任意に適切な担体または希釈剤を有する吸入用医薬処方。
【請求項９】  担体が乳糖である請求項８記載の処方。
【請求項１０】  乾燥吸入処方である請求項８記載の処方。
【請求項１１】  一般式Ｉ´
【化２】
2002519407.tif 000002
（式中、Ｘ1およびＸ2のうちの１つがＭｅＳＯ2、およびほかの１つが水素またはハロゲン、ならびにＸ3が水素またはハロゲンである）の化合物の、呼吸性疾患の予防および治療に使用するための医薬の製造における用途。
【請求項１２】  疾患が喘息である請求項１１記載の用途。
【請求項１３】  疾患がステロイド耐性喘息である請求項１１記載の用途。
【請求項１４】  疾患が急性呼吸窮迫症候群である請求項１１記載の用途。
【請求項１５】  疾患が慢性閉塞肺疾患である請求項１１記載の用途。
【請求項１６】  化合物が３−[(４−メチルスルホニル−フェニル)メチレン]−２，４−ペンタンジオンである請求項１１記載の用途。
【請求項１７】  化合物が３−{[３−クロロ−４−(メチルスルホニル)−フェニル]メチレン}−２，４−ペンタンジオンである請求項１１記載の用途。
【請求項１８】  式ＩＩ´
【化３】
2002519407.tif 000003
（式中、Ｘ1およびＸ2のうちの１つがＭｅＳＯ2、およびほかの１つがブロモまたはフルオロ、ならびにＸ3が水素またはハロゲンである）の中間体。
【請求項１９】  ３−フルオロ−４−メチルスルホニルベンズアルデヒドである請求項１８記載の中間体。
【請求項２０】  ３−ブロモ−４−メチルスルホニルベンズアルデヒドである請求項１８記載の中間体。
【手続補正２】
【補正対象書類名】明細書
【補正対象項目名】０００６
【補正方法】変更
【補正の内容】
【０００６】
ＥＰ−Ａ−０４４０３２４号は、炎症性腸疾患（ＩＢＤ）の治療に有用であると示唆されている置換β-ジケトンを開示している。ＥＰ−Ａ−０４４０３２４号記載の化合物は、ラットのいわゆるＴＮＢ誘導慢性大腸炎モデルを用いてテストされた。もっとも有望な化合物ＯＲ  １３６４(３−[(３−シアノフェニル)メチレン]−２，４−ペンタンジオン)はＩＢＤの治療において広く研究されており、臨床的試みがなされてきた。残念ながら、その試みは、その化合物が刺激性であることが分かったため中止された。
【手続補正３】
【補正対象書類名】明細書
【補正対象項目名】００１０
【補正方法】変更
【補正の内容】
【００１０】
本発明の目的は、呼吸性疾患、とくに喘息の予防および治療のための局所作用、無毒の医薬の新しいタイプを提供することである。本発明の化合物は、炎症性腸疾患におけるその用途が以前にＥＰ−Ａ−０４４０３２４号に開示されている３−[(４−メチルスルホニルフェニル)メチレン]−２，４−ペンタンジオンを除いて新規である。
【手続補正４】
【補正対象書類名】明細書
【補正対象項目名】００１４
【補正方法】変更
【補正の内容】
【００１４】
本発明の化合物は、ＥＰ−Ａ−０４４０３２４号に記載されたものと同様の原理で製造されてもよい。したがって、式ＩＩ
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2002519409.tif 000001
［式中、
Ｒ1は、水素、Ｃ1−Ｃ8−アルキル、Ｃ3−Ｃ8−シクロアルキル、Ｃ1−Ｃ8−アルコキシまたはハロゲンを表し、そして
Ｒ2は、水素、Ｃ1−Ｃ8−アルキル、Ｃ3−Ｃ8−シクロアルキル、Ｃ1−Ｃ8−アルコキシ、ハロゲン、または場合によりＣ1−Ｃ8−アルキルでか、Ｃ1−Ｃ8−アルコキシでか或はハロゲンで置換されていてもよいＣ6−Ｃ10−アリールを表す］
で表される２−ニトロ−５−（フェニルチオ）−アニリンの製造を、式（ＩＩ）
【化２】
2002519409.tif 000002
［式中、
Ｒ1は、式（Ｉ）の下で定義した通りである］
で表される５−クロロ−２−ニトロアニリンと式（ＩＩＩ）
【化３】
2002519409.tif 000003
［式中、
Ｒ2は、式（Ｉ）の下で定義した通りである］
で表されるチオフェノールの反応により行う方法であって、前記式（ＩＩ）で表される５−クロロ−２−ニトロアニリンと前記式（ＩＩＩ）で表されるチオフェノールとアンモニアを溶媒中で反応させることを特徴とする方法。
【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2002519403.tif 000001
（式中、Ｒは水素または、２-６の炭素原子を有する直鎖または分枝鎖の低級アルカノイルであり、Ｘ＝１のとき、Ｙ＝ＣＯＯＨであり、Ｘ＝２のとき、Ｙ＝ＣＯＯ-である）の、Ｌ-カルニチンまたはアルカノイルＬ-カルニチンのパモ酸との非吸湿性塩。
【請求項２】  Ｒがアセチル、プロピオニル、ブチリル、バレリルおよびイソバレリルから成る群から選択される請求項１記載の塩。
【請求項３】  活性成分として請求項１または２記載の塩を含む組成物。
【請求項４】  １またはそれ以上の薬理学上許容される賦形剤をさらに含む請求項３記載の組成物。
【請求項５】  錠剤、咀嚼錠剤、カプセル、顆粒または粉末の形態の請求項３または４記載の組成物。
【請求項６】  活性成分として式（Ｉ）のＬ-カルニチンまたはアルカノイルＬ-カルニチンの塩を、Ｌ-カルニチンまたはアルカノイルＬ-カルニチンの分子内塩として表示して５０-２０００ｍｇ含む単位投与製剤である請求項３-５いずれかに記載の組成物。
【請求項７】  活性成分として式（Ｉ）のＬ-カルニチンまたはアルカノイルＬ-カルニチンの塩を、Ｌ-カルニチンまたはアルカノイルＬ-カルニチンの分子内塩として表示して１００-１０００ｍｇ含む単位投与製剤である請求項６記載の組成物。
【請求項８】  食品補助食品、栄養製品または医薬製品としてヒトに使用するための請求項３-７いずれかに記載の組成物。
【請求項９】  食品補助食品として家畜に使用するための請求項３-７いずれかに記載の組成物。
【請求項１０】  Ｌ-カルニチンまたは、アルカノイルが２-６の炭素原子を有するアルカノイルＬ-カルニチンの一日必要量を補うことを必要とする個人において、Ｌ-カルニチンまたは、アルカノイルが２-６の炭素原子を有するアルカノイルＬ-カルニチンの一日必要量を補うのに適した組成物であって、（ａ）Ｌ-カルニチンまたは該アルカノイルＬ-カルニチンを自由な、すぐに利用できる形態で、および、（ｂ）Ｌ-カルニチンまたは該アルカノイルＬ-カルニチンを制御放出を保証する形態で含む組成物であって、成分（ａ）がＬ-カルニチンまたはアルカノイルＬ-カルニチンを分子内塩または薬理学上許容される水溶性塩の形態で含み、および成分（ｂ）がＬ-カルニチンまたはアルカノイルＬ-カルニチンのパモ酸との、一般式（Ｉ）：
【化２】
2002519403.tif 000002
（式中、Ｒは水素または、２-６の炭素原子を有する直鎖または分子鎖の低級アルカノイルであり、Ｘ＝１のときＹ＝ＣＯＯＨであり、Ｘ＝２のときＹ＝ＣＯＯ-である）を有する塩を含むことに特徴づけられる組成物。
【手続補正２】
【補正対象書類名】明細書
【補正対象項目名】０００５
【補正方法】変更
【補正の内容】
【０００５】
多くのＬ-カルニチン非吸湿性塩が既に公知である。
例えば、１９９０年１２月２１日に出願されたヨーロッパ特許０４３４０８８（Lonza)は、Ｌ-カルニチンのＬ-（+）-酒石酸との非吸湿性塩（すでに記載した塩、さらに、Muller and Strack in Hoppe-Seyler's Z. Physiol. Chem., 353, 618-622, April 1972による）の、固体の経口投与製剤の調製のための使用を開示する。
しかしながらこれらの塩はいくらかの欠点、例えば、貯蔵後のトリメチルアミンの放出を呈し、これはこのアミンの特徴的な腐敗臭(fishy odour)による不快臭効果を生じる。さらに、Ｌ-（+）-酒石酸は、低級アルカノイルＬ-カルニチン、例えばアセチルＬ-カルニチンと非吸湿性塩を形成することができない。
【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  式Iの化合物又は医薬として許容できるその等価体：
【化１】
2002519408.tif 000001
（式中、Xは、式II、III又はIVで表され：
【化２】
2002519408.tif 000002
m及びnは、独立して、0、1、2、3又は4であり；
Zは、SR13、SO3R13、SO2R13、SOR13、SO(NR13)R14又はS(NR13R14)2R15であり；
Bは、N又はCR16であり；
Aは、O、S、CR17R18又は(CR17R18)mSであり；
R9及びR13は水素であり；
R8、R10、R11、R12、R14、R15、R16、R17、R18及びR19は、独立して、水素、C1-C9の直鎖又は分枝鎖のアルキル、C2-C9の直鎖又は分枝鎖のアルケニル、C3-C8のシクロアルキル、C5-C7のシクロアルケニル、Ar1、ヒドロキシ、カルボキシ、カルボニル、アミノ、アミド、シアノ、イソシアノ、ニトロ、スルホニル、スルホキシ、チオ、チオカルボニル、チオシアノ、ホルムアニリド、チオホルムアミド、スルフィドリル、ハロ、ハロアルキル、トリフルオロメチル又はオキシであり、ここで該アルキル、アルケニル、シクロアルキル、及びシクロアルケニルは、独立に未置換であるか又は1個以上の置換基で置換されており；および、
Ar1は、炭素環式又はヘテロ環式部分であり、未置換であるか又は1個以上の置換基(複数)で置換されており；
但し、
(i)Xが式IIで表され、R8が-(CH2)2COOR19又は-(CH2)2CONHR19、AがCH2、nが0、ならばZはSR13でなく；
(ii)Xが式IIIで表され、BがNであり、かつR8が-(CH2)2COOHであるならば、R11は水素ではなく；
(iii)Xが式IIで表されかつAがOであるならば、nは2、3又は4であり；
(iv)Xが式IIで表され、R8が-(CH2)2COOHであり、AがOまたは(CR17R18)であり、ｎが0の場合、ZはSO2R13、SOR13、またはSO(NR13)R14でなく；
(v)Xが式IIで表され、R8がHまたは未置換アルキルであり、AがCH2である場合、ｎは0でなく；
(vi)Xが式IIで表され、R8がナフチルメチル、シクロヘキシルメチル、1-(1-フェニルエチル)、1-(1-フェニル-プロピル)またはベンジルであって、前記ベンジルが未置換またはF、Cl、BrまたはCH3で置換されており、AがCH2およびZがSHである場合には、ｎが0でなく；
(vii)Xが式IIで表され、R8がベンジル、AがCH2、ZがSHおよびｎが３である場合、R10およびR11は同時に水素であることはなく；
(viii)Xが式IIで表され、R8がベンジル、AがSまたはCH2S、ZがSHおよびｎが２である場合、R10およびR11は同時に水素であることはなく；
(ix)Xが式IIで表され、R8がHまたはメチル、AがCR17R18であり、R17がH、R18がHまたはメチルであり、ｎが0である場合、ZはSO2R13でなく；
(x)Xが式IIで表され、R8がCH2CO2H、AがCH2であり、ｎが0である場合、ZはSO3Hでなく；
(xi)Xが式IIで表され、R8がメチルまたはベンジル、AがCH2、およびZがSO3Hの場合、ｎは0でなく；
(xii)Xが式IIIで表され、BがN、R11がH、およびR10がHの場合、R8はH、メチル、CHOHCH3、CH2CH3CO2H、またはβ-インドリルメチルでなく；
(xiii)Xが式IIIで表され、BがN、R11がH、およびR10がエチルの場合、R8はメチル、sec-ブチル、CH(CH3)2、CH2CH2CO2H、（CH2）4NH(C=S)S-Et、ベンジル、p-ヒドロキシベンジル、CH2CO2H、CH2CONH2、CH2OH、CH2OCOCH3、CHOHCH3、またはβ-インドリルメチルでない。）
【請求項２】  Xが、式IIで表され；
nは、0、1、2又は3であり；
Zは、SH、SO3H、SO2H、SOH、又はS(NRHR14)2R15であり；および
Aは、O、S又はCR17R18である、請求項１記載の化合物。
【請求項３】  ZがSHである、請求項２記載の化合物。
【請求項４】  R8が-(CH2)2COOHである、請求項３記載の化合物。
【請求項５】  前記式Iの化合物が、下記からなる群より選択される、請求項３記載の化合物：
2-(2-スルファニルエチル)-ペンタン二酸；
3-(2-スルファニルエチル)-1,3,5-ペンタントリカルボン酸；
2-(2-スルファニルプロピル)ペンタン二酸；
2-(2-スルファニルブチル)ペンタン二酸；
2-(2-スルファニル-2-フェニルエチル)ペンタン二酸；
2-(2-スルファニルヘキシル)ペンタン二酸；
2-(2-スルファニル-1-メチルエチル)ペンタン二酸；
2-[1-(スルファニルメチル)プロピル]ペンタン二酸；
2-(3-スルファニルペンチル)ペンタン二酸；
2-(3-スルファニルプロピル)ペンタン二酸；
2-(3-スルファニル-2-メチルプロピル)ペンタン二酸；
2-(3-スルファニル-2-フェニルプロピル)ペンタン二酸；
2-(3-スルファニルブチル)ペンタン二酸；
2-[3-スルファニル-2-(フェニルメチル)プロピル]ペンタン二酸；
2-[2-(スルファニルメチル)ブチル]ペンタン二酸；
2-[2-(スルファニルメチル)ペンチル]ペンタン二酸；
2-(3-スルファニル-4-メチルペンチル)ペンタン二酸；および
医薬として許容できる等価体。
【請求項６】  式Iの化合物が、2-(2-スルファニルエチル)ペンタン二酸、2-(2-スルファニルプロピル)ペンタン二酸、2-(3-スルファニルプロピル)ペンタン二酸及び医薬として許容できる等価体からなる群より選択される、請求項５記載の化合物。
【請求項７】  式Iの化合物が、エナンチオマー又はエナンチオマーが豊富な混合物である、請求項６記載の化合物。
【請求項８】  請求項１〜７のいずれか1項記載の化合物を含む医薬組成物。
【請求項９】  請求項１〜７のいずれか1項記載の化合物を含む、N-アセチル化α-結合酸性ジペプチダーゼ（NAALADアーゼ）阻害剤。
【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  ａ）ポリイソシアネート成分、および
ｂ）式、
【化１】
2002519405.tif 000001
（式中、
ｉ）Ｘは原子価ｎのアルキル、アルキレン、アリール、またはアリーレンであり、
ｉｉ）Ｒ1、Ｒ2、Ｒ4、およびＲ5はそれぞれ独立に、水素、炭素原子１〜２０個のアルキル基、およびアリール基から成る群より選択され、
ｉｉｉ）Ｒ3はアルキルまたはアリールのいずれかであり、
ｉｖ）ｎは１以上の整数である。）
の少なくとも１つの化合物を含むイソシアネート反応性成分、
を含むポリ尿素コーティング組成物。
【請求項２】  ｎが２であり、Ｘがアルキレンまたはアリーレンである請求項１に記載のポリ尿素コーティング組成物。
【請求項３】  ａ）式、
【化２】
2002519405.tif 000002
（式中、
ｉ）Ｘは原子価ｎのアルキル、アルキレン、アリール、またはアリーレンであり、
ｉｉ）Ｒ1、Ｒ2、Ｒ4、およびＲ5はそれぞれ独立に、水素、および炭素原子１〜２０個のアルキル基、およびアリール基から成る群より選択され、
ｉｉｉ）Ｒ3はアルキルまたはアリールのいずれかであり、
ｉｖ）ｎは１以上の整数である。）
の１つ以上のアミンを含むアミン成分、および
ｂ）１つ以上のポリイソシアネート
を含む二液型液体舗装道路マーキング組成物。
【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】  (A) 式(I)のラセミ型のメタロセン化合物:
【化１】
2002519484.tif 000001
[式中、置換基R1は水素原子;
R2とR3は、それぞれ独立して、任意に珪素またはゲルマニウム原子を含有する、C1〜C20アルキル、C3〜C20シクロアルキル、C2〜C20アルケニル、C6〜C20アリール、C7〜C20アルキルアリールもしくはC7〜C20アリールアルキル基；
またはR2とR3はともに結合して4〜6員環もしくは6〜20の融合環系を形成できる；
R4とR5は、同一または異なって、水素原子または-CHR8R9基；
R4とR5はヘテロ原子を含有できる炭素原子が3〜8個の環を形成できる；
R8とR9置換基は、同一または異なって、水素原子、C1〜C20アルキル、C3〜C20シクロアルキル、C2〜C20アルケニル、C6〜C20アリール、C7〜C20アルキルアリールまたはC7〜C20アリールアルキル基で、これらはヘテロ原子を含有できる3〜8個の炭素原子を有する環を形成できる；
R6とR7置換基は、同一または異なって、水素、任意に珪素またはゲルマニウム原子を含有する、C1〜C20アルキル、C3〜C20シクロアルキル、C2〜C20アルケニル、C6〜C20アリール、C7〜C20アルキルアリールまたはC7〜C20アリールアルキル基、かつ2つの隣近するR6とR7置換基は5〜8個の炭素原子からなる環を任意に形成できる；
Mは元素周期律表(新IUPAC版)で、3、4、5、6族またはランタニッド若しくはアクチニッド族に属するものから選択される遷移金属である；
Xは、同一または異なって、水素原子、ハロゲン原子、R10、OR10、OSO2CF3、OCOR10、SR10、NR102またはPR102基 (式中、R10は、任意に珪素またはゲルマニウム原子を含有する、C1〜C20アルキル、C3〜C20シクロアルキル、C2〜C20アルケニル、C6〜C20アリール、C7〜C20アルキルアリールまたはC7〜C20アリールアルキル基である)のようなモノアニオンリガンドである；
pは0〜3の整数で、pは金属Mの酸化状態マイナス2に等しい];および
(B) アルモキサンおよび/またはアルキルメタロセンカチオンを形成しうる化合物
を接触させて得ることができる触媒の存在下での3〜20個の炭素原子を含む少なくとも1つのα-オレフィンの重合反応からなるα-オレフィンの非晶質ポリマーの製造方法。
【請求項２】  α-オレフィンがプロピレンである請求項１による方法。
【請求項３】  （Ａ）式CH2＝CHR（Rは水素、C2〜C20アルキルまたはC6〜C12アリール基）のオレフィンから誘導される単位を任意に0.1〜20モル％含有し、
-溶融エンタルピー＜70J/g、
-ペンタド(mmmm)/(rrrr)の比≧1.5および
-ペンタド(mmmm)/(mmmr)の比≧0.8
の特性を有するプロピレンポリマー1〜99重量％、
（Ｂ）式CH2＝CHR（Rは水素、C2〜C20アルキルまたはC6〜C12アリール基）のオレフィンから誘導される単位を任意に0.1〜20モル％含有し、
-溶融エンタルピー＞70J/g、および
-イソタクティックダイアド(m)の％−シンジオタクティックダイアド(r)の％＞０
の特性を有するプロピレンポリマー1〜99重量％
からなる熱可塑性組成物。
【請求項４】  成分(A)/(B)の重量の比が30：70〜70：30の間である請求項３による組成物。
【請求項５】  成分(A)の非晶質プロピレンポリマーが、50J/gより低い溶融エンタルピーを有する請求項３または４による組成物。
【請求項６】  成分(B)が、
- 110〜140℃の融点；
- [η]＞1dl/g；
- 10％より少ない25℃でキシレンに溶解する区分
を特徴とする本質的にイソタクティック構造のプロピレンコポリマーである請求項３〜５のいずれか１つによる組成物。
【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  高分子物品をフッ素化することによって表面のフッ素化が行われた表面改質された高分子物品、を含むエレクトレット。
【請求項２】  前記表面改質された高分子物品が、ＥＳＣＡによって検出したとき少なくとも約４５原子％のフッ素を含む、請求項１に記載のエレクトレット。
【請求項３】  前記表面改質された高分子物品が、ＣＦ3：ＣＦ2の測定方法に従って測定したとき少なくとも約０．２５のＣＦ3：ＣＦ2比を構成する、請求項１または２の何れか１項に記載のエレクトレット。
【請求項４】  ＥＳＣＡによって検出したとき少なくとも約５０原子％のフッ素を含み、ＣＦ3：ＣＦ2の測定方法に従って測定したとき少なくとも約０．４５のＣＦ3：ＣＦ2比を有する高分子物品を含むエレクトレット。
【請求項５】  前記高分子物品が、ＣＦ3：ＣＦ2の測定方法に従って測定したとき、約０．９より大きいＣＦ3：ＣＦ2比を有する、請求項４に記載のエレクトレット。
【請求項６】  前記高分子物品の品質係数が少なくとも約０．５／ｍｍＨ2Ｏである、請求項４に記載のエレクトレット。
【請求項７】  前記繊維ウェブが、ポリプロピレン、ポリ−（４−メチル−１−ペンテン）、またはそれらの組合せを含有するメルトブローミクロ繊維を含む、請求項４に記載のエレクトレット。
【請求項８】  高分子ミクロ繊維を含む不織ウェブであって、ＣＦ3：ＣＦ2の測定方法に従って測定したとき少なくとも約０．４５のＣＦ3：ＣＦ2比でＣＦ3及びＣＦ2を含む、表面のフッ素化された不織ウェブ、を含むエレクトレット。
【請求項９】  １層以上の不織ウェブを含み、かつ品質係数が少なくとも約１．０／ｍｍＨ2Ｏである、請求項８に記載のエレクトレット。
【請求項１０】  高分子物品をフッ素化して表面がフッ素化された物品を製造する工程、及び
前記フッ素化された物品をエレクトレットを製造するのに十分であるように帯電させる工程、
を含む、エレクトレットの作製方法。
【請求項１１】  前記高分子物品が、繊維の有効直径が１〜５０マイクロメータであるミクロ繊維を含有する不織ウェブである請求項１０に記載の作製方法。
【請求項１２】  前記フッ素化された物品を水と接触させることによってエレクトレットを製造するのに十分であるように前記フッ素化された物品を帯電させる工程、及び前記物品を乾燥させる工程、を含む、請求項１０に記載の作製方法。
【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】
（ａ） −０．０２２４Ｏ＋Ａに等しいアイソタクチック指数（Ｏは存在するオレフィンのモル％であり、Ａは６６〜８９の数であり、アイソタクチック指数がゼロより大きい）及び
（ｂ） −０．４４９２Ｏ＋Ｂに等しいメソ三つ組元素％（Ｏは存在するオレフィンのモル％であり、Ｂは９３〜１００の数であり、メソ三つ組元素％が９５％以下である）
を有するプロピレン／オレフィンコポリマー。
【請求項２】 
該オレフィンがエチレンである、請求項１に記載のコポリマー。
【請求項３】
−１．１０８２Ｅｔ−Ｃに等しいガラス転移温度（Ｅｔはエチレンのモル％であり、Ｃは１〜１４の数である）を有する、請求項１または請求項２に記載のコポリマー。
【請求項４】
１０〜３５モル％のエチレン含有量を有する、請求項２または請求項３に記載のコポリマー。
【請求項５】
前記メソ三つ組元素％が９３％未満である、請求項１乃至４のいずれか１請求項に記載のコポリマー。
【請求項６】
前記メソ三つ組元素％が９０％未満である、請求項５に記載のコポリマー。
【請求項７】
２５〜１２５℃のＴmを有する請求項１乃至６のいずれか１請求項に記載のコポリマー。
【請求項８】
１５，０００〜２，０００，０００の数平均ＭＷと１．５〜１０のＭＷ／ＭＮ比を有する、請求項１乃至７のいずれか１請求項に記載のコポリマー。
【請求項９】
１．５〜１０の多分散指数を有する請求項１乃至８のいずれか１請求項に記載のコポリマー。
【請求項１０】
１．８〜８の多分散指数を有する請求項１乃至９のいずれか１請求項に記載のコポリマー。
【請求項１１】
２．０〜５の多分散指数を有する請求項１乃至１０のいずれか１請求項に記載のコポリマー。
【請求項１２】
２．５以下の反応性比の積（ｒ１×ｒ２）を有する、請求項１乃至１１のいずれか１請求項に記載のコポリマー。
【請求項１３】
請求項１乃至１２のいずれか１請求項に記載のコポリマーを含み、任意に１種以上の他のα−オレフィンポリマーおよびコポリマー、プロセス油、他の添加剤がブレンドされた製品。
【請求項１４】
該コポリマーブレンドが配向されている、請求項１３に記載の製品。
【請求項１５】
請求項１に記載のコポリマーおよびポリプロピレンがブレンドされた製品。
【請求項１６】
前記ブレンドされた材料が配向されている、請求項１５に記載の製品。
【請求項１７】
プロピレンと、Ｃ２、Ｃ４〜Ｃ２０αオレフィンをメタロセン及び活性化助触媒で重合することを含む、請求項１に記載のコポリマーの製造方法。
【請求項１８】
前記メタロセンがμ−Ｍｅ2Ｓｉ（インデニル）2ＨｆＭｅ2であり、前記活性化助触媒がＮ，Ｎ−ジメチルアニリニウムテトラキス（ペンタフルオロフェニル）ボーレート、またはＮ，Ｎ−ジメチルアニリニウムテトラキス（ヘプタフルオロナフチル）ボーレートである、請求項１７に記載のコポリマーの製造方法。
【請求項１９】
前記重合が、溶液中で行われる、請求項１７または請求項１８に記載のコポリマーの製造方法。
【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  次式（１）
【化１】
2002519480.tif 000001
（式中、ｎは０、２、４または６であり、
ａ、ｂおよびｃは互いに独立して１または０であり、
ａ、ｂおよびｃの合計は少なくとも１であり、
Ｒ1-1a、Ｒ1-1bおよびＲ1-1cは互いに独立して水素原子、アルキル基、アリール基、アルキレン基、アリールアルキル基またはアルキルアリール基で表される炭素原子１ないし１０個を含む炭化水素基、あるいは炭素原子１ないし１０個および酸素原子、イオウ原子または窒素原子であり得るヘテロ原子の少なくとも１個を含む炭化水素基を表わし；
Ｒ2-1a、Ｒ3-1a、Ｒ4-1a、Ｒ5-1a、Ｒ2-1b、Ｒ3-1b、Ｒ4-1b、Ｒ5-1b、Ｒ2-1c、Ｒ3-1c、Ｒ4-1cおよびＲ5-1cは互いに独立して水素原子または炭素原子数１ないし４のアルキル基を表わし、
Ｒ6-1a、Ｒ7-1a、Ｒ6-1b、Ｒ7-1b、Ｒ6-1cおよびＲ7-1cは互いに独立して炭素原子数１ないし４のアルキレン基を表わし；そして
Ａは炭素原子５ないし７個を有する芳香族または脂環族環を表わす。）で表される化合物。
【請求項２】  Ｒ1-1a、Ｒ1-1bおよびＲ1-1cが互いに独立してメチル基を表わす請求項１記載の化合物。
【請求項３】  Ｒ1-1aが水素原子を表わし、ａが１であり、そしてｂおよびｃが０で
ある請求項１記載の化合物。
【請求項４】  Ｒ2-1a、Ｒ3-1a、Ｒ4-1a、Ｒ5-1a、Ｒ2-1b、Ｒ3-1b、Ｒ4-1b、Ｒ5-1b、Ｒ2-1c、Ｒ3-1c、Ｒ4-1cおよびＲ5-1cが互いに独立して水素原子、メチル基またはエチル基を表わす請求項１記載の化合物。
【請求項５】  Ｒ2-1a、Ｒ3-1a、Ｒ4-1aおよびＲ5-1aがそれぞれ水素原子を表わし、ａが１であり、そしてｂおよびｃが０である請求項４記載の化合物。
【請求項６】  Ｒ2-1a、Ｒ3-1a、Ｒ4-1aおよびＲ5-1aがそれぞれ水素原子を表わし、ａが１であり、そしてｂおよびｃが０である請求項３記載の化合物。
【請求項７】  Ｒ6-1a、Ｒ7-1a、Ｒ6-1b、Ｒ7-1b、Ｒ6-1cおよびＲ7-1cが互いに独立してメチレン基またはエチレン基を表わす請求項１記載の化合物。
【請求項８】  ａが１であり、そしてｂおよびｃが０である請求項７記載の化合物。
【請求項９】  Ａが炭素原子６個を有する芳香族または脂環族環を表わす請求項１記載の化合物。
【請求項１０】  Ａが炭素原子６個を有する芳香族または脂環族環を表わす請求項８記載の化合物。
【請求項１１】  次式（１ａ）または（１ｂ）
【化２】
2002519480.tif 000002
（式中、ｎ、ａ、ｂおよびｃは請求項１で定義された通りの意味を有する。）で表わされる請求項１記載の化合物。
【請求項１２】  約９０：１０ないし約９８：２の重量比でカルダノール（Ｉ）およびカルドール（ＩＩ）
【化３】
2002519480.tif 000003
（式中、ｎは０、２、４または６である。）を含むカシューナット殻液抽出物を少なくとも一種の芳香族または脂環族ポリアミンおよび少なくとも一種のアルデヒド化合物と結合させることにより得られるマンニッヒ塩基反応生成物。
【請求項１３】  上記ポリアミンがキシレンジアミン、１，３−ビス（アミノメチル）シクロヘキサンおよびそれらの混合物から選択される請求項１２記載の生成物。
【請求項１４】  構造式（１ａ）または（１ｂ）
【化４】
2002519480.tif 000004
（式中、ｎは０、２、４または６であり、ａ、ｂおよびｃは互いに独立して１または０であり、そして前記マンニッヒ塩基反応生成物混合物において式（１ａ）および／または（１ｂ）に相当する全ての化合物に関して（ａ＋ｂ＋ｃ）の合計についての平均値は約１．２である。）で表わされる化合物の少なくとも一種からなる請求項１３記載の生成物。
【請求項１５】  ａ）請求項１ないし１１に記載の化合物およびｂ）一分子につきグリシジル基を平均で１個より多く有するエポキシ樹脂からなるエポキシ樹脂組成物。
【請求項１６】  ａ）請求項１４記載のマンニッヒ塩基反応生成物およびｂ）一分子につきグリシジル基を平均で１個より多く有するエポキシ樹脂からなるエポキシ樹脂組成物。
【請求項１７】  ａ）請求項１５または１６記載のエポキシ樹脂組成物およびｂ）顔料からなる硬化性配合物。
【請求項１８】  フェナルカミン含有組成物を使用することによる、減少された黄色度指数を有する表面塗布方法であって、該表面に請求項１７記載の硬化性配合物を塗布することからなる方法。
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】
式Ｉ
【化１】
2002519412.tif 000001
（式中、Ａは炭素原子１〜１５個を有する線状又は分枝状アルキレン鎖─────このアルキレン基は酸素原子又はイオウ原子１個以上によって又は式−ＮＲ’−又は＝ＮＲ’（式中、Ｒ’は水素又はアルキルを示す。）で表される残基１個以上によって中断されていてよい───であるか、又は  
式−（ＣＨ2 ）a −Ｄ−（ＣＨ2 ）b −（式中、ａ及びｂは同一であるか又は異なっていてよく、０、１、２、３、４又は５の数を示し、Ｄはシクロヘキサン又はシクロオクタンを示す。）で表わされる残基である；
但しＡはＣＨ2 ＯＣＨ2 ，（ＣＨ2 ）3-5 ，Ｎ＝Ｎ又は（ＣＨ）2 ＣＯでない。｝
で表わされる合物。
【請求項２】
Ａが、式−（ＣＨ2 ）a −Ｄ−（ＣＨ2 ）b −（式中、ａ及びｂは同一であるか又は異なっていてよく、０、１、２、３、４又は５の数を示し、Ｄはシクロヘキサン又はシクロオクタンを示す。）で表される残基である、請求項１記載の化合物。
【請求項３】
Ａが炭素原子1 〜１５個を有する線状又は分枝状アルキレン鎖である、請求項 1記載の化合物。
【請求項４】
Ａが、デカメチレン、オクタメチレン、ヘキサメチレン、ジメチレン、Ｎ，Ｎ’−ジメチル−ジアミノ−メチレン、Ｎ，Ｎ’−ジメチル−ジアミノ−ジメチレン、Ｎ，Ｎ’−ジメチル−ジアミノ−トリメチレン、（シス及び（又は）トランス）−１，５−シクロオクチレン又は（シス及び（又は）トランス）−１，３−ジメチルシクロヘキサン−α，α’−ジイルである、請求項１記載の化合物。
【請求項５】
１，３−ビス［（２−アミノベンズイミダゾール−１−イル）メチル］シクロヘキサン、
１，６−ビス（２−アミノベンズイミダゾール−１−イル）ヘキサン、
１，２−ビス（２−アミノベンズイミダゾール−１−イル）エタン、  
又は
シス−１，５−ビス（２−アミノ−１−ベンズイミダゾリル）シクロオクタン
である、請求項１記載の化合物。
【請求項６】
請求項１〜５のいずれか 1つに記載の化合物の有効量を含有する、薬学的調合物。
【請求項７】
カリウムチャンネル活性に関連する疾患又は障害の治療又は軽減用薬剤を製造するために、請求項１〜５のいずれか 1つに記載の化合物を使用する方法。
【請求項８】
疾患又は障害が、喘息、嚢胞性線維症、慢性閉塞性肺疾患及び鼻漏、けいれん、血管けいれん、冠状動脈けいれん、腎臓障害、腎多嚢胞病、膀胱けいれん、尿失禁、膀胱流出閉塞、過敏性腸症候群、胃腸機能障害、分泌性下痢、虚血、脳内虚血、虚血性心臓疾患、狭心症、冠状動脈性心臓疾患、外傷性脳障害、精神病、不安、うつ病、痴呆症、記憶及び注意欠損、アルツハイマー病、月経困難症、ナルコレプシー、レーノー病、間欠性跛行、シェーグレン症候群、偏頭痛、不整脈、高血圧、アプサンス発作、筋緊張性筋ジストロフィー、口内乾燥症、糖尿病タイプＩＩ、高インスリン血症、早産、はげ、癌及び免疫抑制である、請求項７記載の使用方法。
【手続補正２】
【補正対象書類名】明細書
【補正対象項目名】０１８２
【補正方法】変更
【補正の内容】
【０１８２】
例１９
生物学的活性
この例によって、本発明の化合物の生物学的活性を証明する。例２の化合物１a 及び１f 、例１の化合物１ｂ、例１８の化合物１ｊ及び例１０の化合物７ｆを調べる。
【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  生成ポリマーが固形粒子の形であり、モノマー（類）が気体または液体反応媒体に含有され、コロナ放電が前記液体反応媒体でまたは重合ゾーンに送られる液体供給流で占められたスペースの少なくとも一部で確立されることを特徴とする触媒的重合方法。
【請求項２】  コロナ放電が放電対を構成する要素間で行われその要素間に印加される電圧は３０００〜７００００Ｖの間である請求項１による方法。
【請求項３】  固形粒子が前記反応媒体に懸濁されている請求項１による方法。
【請求項４】  前記反応媒体が気体であり任意に懸濁液体相を含有する請求項２による方法。
【請求項５】  固形粒子が床に連続的に再循環されるガス流に懸濁され保持されて流動床を形成する請求項３による方法。
【請求項６】  コロナ放電が流動床内で確立される請求項４による方法。
【請求項７】  コロナ放電が流動床の上限で確立される請求項５による方法。
【請求項８】  棒状の内部導体（１）、好ましくは絶縁材（２）で被覆され、前記棒状の内部導体（１）は、棒（１）に垂直に配置された針状エミッタ（３）を有し、前記絶縁体（２）を穿孔させたものからなり；棒（１）を囲みそれと同軸にされている導電材料のパイプ（４）、該パイプ（４）は棒（１）から絶縁され、環状の孔を各エミッタ（３）に対応して有し、前記エミッタの軸に中心がある
からなる装置によってコロナ放電が発生する請求項１〜７のいずれか１つによる方法。
【請求項９】  棒（１）とパイプ（４）間に印加される電圧はＡＣ電圧である請求項８による方法。
【請求項１０】  棒（１）とパイプ（４）間に印加される電圧は６０００〜８０００Ｖである請求項８または９による方法。
【請求項１１】  １以上のα−オレフィンまたはそれと他のコモノマーとの混合物が重合される請求項１〜１０のいずれか１つによる方法。
【請求項１２】  エチレン（類）のポリマーが生成される請求項１〜１１のいずれか１つによる方法。
【請求項１３】  流動床反応器（１１）、ガス循環装置（１３）とガス冷却手段（１４）を備えたガスリサイクルライン（１２）、モノマー供給ライン（１５）、触媒の反応器への供給ライン（１７）からなり、さらに反応器（１１）と、ガスリサイクルライン（１２）またはガス供給ラインにコロナ放電をさせる装置（１９）とを含む気相重合方法を行う装置。
【請求項１４】  コロナ放電を発生する装置が流動床の上限に設置される請求項１３による装置。
【請求項１５】  コロナ放電を発生する装置が、棒状の内部導体（１）、好ましくは絶縁材（２）で被覆され、前記棒状の内部導体（１）は、棒（１）に垂直に配置された針状エミッタ（３）を有し、前記絶縁体（２）を穿孔させたものからなり；棒（１）を囲みそれと同軸にされている導電材料のパイプ（４）、該パイプ（４）は棒（１）から絶縁され、環状の孔を各エミッタ（３）に対応して有し、前記エミッタの軸に中心がある
からなる請求項１３または１４による装置。
【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  式Ｉ
【化１】
2002519423.tif 000001
［式中、
Ｒ１は、Ｃ１〜Ｃ６−アルコキシ、Ｃ３〜Ｃ７−シクロアルコキシ、Ｃ３〜Ｃ７−シクロアルキルメトキシ、ベンジルオキシ又は完全にか又は主として弗素置換のＣ１〜Ｃ４−アルコキシであり、
Ｒ２は、水素、Ｃ１〜Ｃ７−アルキル、Ｃ３〜Ｃ７−シクロアルキル、Ｃ３〜Ｃ７−シクロアルキルメチル又はＣ１〜Ｃ４−アルコキシ−Ｃ１〜Ｃ４−アルキルであり、
Ｒ３は、水素、ヒドロキシル、ニトロ、シアノ、エチニル、カルボキシル、Ｃ１〜Ｃ４−アルコキシ又はＣ１〜Ｃ４−アルコキシカルボニルであり、
Ａは、Ｂ、−ＣＨ（Ｒ４）−、＞Ｃ＝Ｏ又は＞Ｃ＝Ｎ−Ｒ５であり、ここで、
Ｂは、酸素（−Ｏ−）、イミノ（−ＮＨ−）、スルフィニル（−Ｓ（Ｏ）−）、スルホニル（−Ｓ（Ｏ）２−）又はカルボニルイミノ（−Ｃ（Ｏ）ＮＨ−）であり、
Ｒ４は、ヒドロキシル、カルボキシル、Ｃ１〜Ｃ４−アルコキシカルボニル、アミノカルボニル、モノ−又はジ−Ｃ１〜Ｃ４−アルキルアミノカルボニル、ヒドロキシアミノカルボニル（−Ｃ（Ｏ）ＮＨＯＨ）又はＣ１〜Ｃ４−アルコキシアミノカルボニルであり、
Ｒ５は、ヒドロキシル又はＣ１〜Ｃ４−アルキルカルボニルオキシである］の化合物又はこの化合物の塩。
【請求項２】  式中、
Ｒ１が、Ｃ１〜Ｃ４−アルコキシ、Ｃ３〜Ｃ５−シクロアルコキシ又は完全にか又は主として弗素置換のＣ１〜Ｃ２−アルコキシであり、
Ｒ２が、Ｃ１〜Ｃ４−アルキル、Ｃ３〜Ｃ５−シクロアルキル、Ｃ３〜Ｃ５−シクロアルキルメチル又はＣ１〜Ｃ２−アルコキシ−Ｃ１〜Ｃ２−アルキルであり、
Ｒ３が、ヒドロキシル、シアノ、カルボキシル、Ｃ１〜Ｃ２−アルコキシ又はＣ１〜Ｃ２−アルコキシカルボニルであり、
Ａが、Ｂ、−ＣＨ（Ｒ４）−、＞Ｃ＝Ｏ又は＞Ｃ＝Ｎ−Ｒ５であり、ここで、
Ｂが、酸素（−Ｏ−）、スルフィニル（−Ｓ（Ｏ）−）、スルホニル（−Ｓ（Ｏ）２−）又はカルボニルイミノ（−Ｃ（Ｏ）ＮＨ−）であり、
Ｒ４が、ヒドロキシル、カルボキシル、Ｃ１〜Ｃ４−アルコキシカルボニル又はアミノカルボニルであり、
Ｒ５が、ヒドロキシル又はＣ１〜Ｃ４−アルキルカルボニルオキシである、請求項１に記載の式Ｉの化合物又はこの化合物の塩。
【請求項３】  式中、
Ｒ１が、Ｃ１〜Ｃ４−アルコキシであり、
Ｒ２が、Ｃ１〜Ｃ４−アルキル又はＣ３〜Ｃ５−シクロアルキルであり、
Ｒ３が、ヒドロキシル、シアノ又はメトキシであり、
Ａが、Ｂ、−ＣＨ（Ｒ４）−又は＞Ｃ＝Ｏであり、ここで、
Ｂが、酸素（−Ｏ−）又はスルホニル（−Ｓ（Ｏ）２−）であり、
Ｒ４が、ヒドロキシル、カルボキシル、メトキシカルボニル又はアミノカルボニルである、請求項１に記載の式Ｉの化合物又はこの化合物の塩。
【請求項４】  式中、
Ｒ１が、Ｃ１〜Ｃ４−アルコキシであり、
Ｒ２が、Ｃ１〜Ｃ４−アルキルであり、
Ｒ３が、シアノであり、
Ａが、Ｂ、−ＣＨ（Ｒ４）−又は＞Ｃ＝Ｏであり、ここで、
Ｂが、酸素（−Ｏ−）であり、
Ｒ４が、ヒドロキシル、カルボキシル、メトキシカルボニル又はアミノカルボニルである、請求項１に記載の式Ｉの化合物又はこの化合物の塩。
【請求項５】  式中、
Ｒ１が、メトキシであり、
Ｒ２が、メチル又はイソプロピルであり、
Ｒ３が、シアノであり、
Ａが、Ｂ、−ＣＨ（Ｒ４）−又は＞Ｃ＝Ｏであり、
Ｂが、酸素（−Ｏ−）であり、
Ｒ４が、ヒドロキシル、カルボキシル、メトキシカルボニル又はアミノカルボニルである、請求項１に記載の式Ｉの化合物又はこの化合物の塩。
【請求項６】  式中、
Ｒ１が、メトキシであり、
Ｒ２が、メチル又はイソプロピルであり、
Ｒ３が、シアノであり、
Ａが、酸素（−Ｏ−）である、請求項１に記載の式Ｉの化合物又はこの化合物の塩。
【請求項７】  気道疾患治療用の、慣用の製薬的佐薬及び／又は賦形剤と一緒の請求項１に記載の１種以上の化合物から成る医薬。
【手続補正書】
【提出日】平成18年4月12日(2006.4.12)
【手続補正１】
【補正対象書類名】明細書
【補正対象項目名】特許請求の範囲
【補正方法】変更
【補正の内容】
【特許請求の範囲】
【請求項１】特に以下の特徴的ＩＲピーク：１６０３、１５１３、１１９４、１０４５、９４６、８３０、７７６、６０１、５５４、および５３９±４ｃｍ-1；および／または以下の特徴的ＸＲＤピーク：８．３、１０．５、１５．６、１６．３、１７．７、１８．２、１９．８、２０．４、２１．５、２２．０、２２．４，２３．８、２４．４、２５．０、２５．３、２５．８、２６．６、３０．０、３０．２、および３１．６±０．２°２θを有する結晶形態のパロキセチンメタンスルホネート。
【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】
（式Ｉ）
【化１】
2002519425.tif 000001
［式中、
ＺはＯまたは２Ｈであり、
Ｒ１はＨ、ＯＨ、ＣＯ２Ｒ９、ＣＯＮＨＲ９、ＣＨ２ＯＲ９、またはＣＯＮＲ９Ｒ１０であり、
Ｒ２はＨまたはＯＨであり、Ｒ３はＨまたはＯＨであり、Ｒ４はＨまたはＯＨであり、
Ｒ５はＨ、ＯＨ、ＮＲ９Ｒ１０、ＮＨＣＯＲ９、ＯＣＯＲ９、ＯＣＲ９、ハライド、ＣＯＯＲ９、またはＣＯＮＲ９Ｒ１０であり、
Ｒ６はＨ、ＯＨ、ＮＲ９Ｒ１０、ＮＨＣＯＲ９、ＯＣＯＲ９、ＯＣＲ９、ハライド、ＣＯＯＲ９、またはＣＯＮＲ９Ｒ１０であり、
Ｒ７はＨ、ＯＨ、Ｏまたはハライドであり、
Ｒ８はＨ、ＯＨ、ハライドまたはなし（Ｒ７がＯである時）であり、
Ｒ９は炭素数１〜６のアルキル、炭素数３〜６のシクロアルキルまたはＨであり、
Ｒ１０は炭素数１〜６のアルキル、炭素数３〜６のシクロアルキルまたはＨである］
を含んでなる物質。
【請求項２】
請求項１の物質、および
薬剤学的に許容可能な担体
を含んでなる薬剤組成物。
【請求項３】
患者において式Ｉの化合物を結合するキナーゼを抑制する方法であって、そのような処置を必要とする患者に以下の式Ｉ：
【化２】
2002519425.tif 000002
［式中、
ＺはＯまたは２Ｈであり、
Ｒ１はＨ、ＯＨ、ＣＯ２Ｒ９、ＣＯＮＨＲ９、ＣＨ２ＯＲ９、またはＣＯＮＲ９Ｒ１０であり、
Ｒ２はＨまたはＯＨであり、Ｒ３はＨまたはＯＨであり、Ｒ４はＨまたはＯＨであり、
Ｒ５はＨ、ＯＨ、ＮＲ９Ｒ１０、ＮＨＣＯＲ９、ＯＣＯＲ９、ＯＣＲ９、ハライド、ＣＯＯＲ９、またはＣＯＮＲ９Ｒ１０であり、
Ｒ６はＨ、ＯＨ、ＮＲ９Ｒ１０、ＮＨＣＯＲ９、ＯＣＯＲ９、ＯＣＲ９、ハライド、ＣＯＯＲ９、またはＣＯＮＲ９Ｒ１０であり、
Ｒ７はＨ、ＯＨ、Ｏまたはハライドであり、
Ｒ８はＨ、ＯＨ、ハライドまたはなし（Ｒ７がＯである時）であり、
Ｒ９は炭素数１〜６のアルキル、炭素数３〜６のシクロアルキルまたはＨであり、
Ｒ１０は炭素数１〜６のアルキル、炭素数３〜６のシクロアルキルまたはＨである］
の化合物を投与することを含んでなる方法。
【請求項４】
患者において異常な細胞増殖を抑制する方法であって、そのような処置を必要とする患者に以下の式Ｉ：
【化３】
2002519425.tif 000003
［式中、
ＺはＯまたは２Ｈであり、
Ｒ１はＨ、ＯＨ、ＣＯ２Ｒ９、ＣＯＮＨＲ９、ＣＨ２ＯＲ９、またはＣＯＮＲ９Ｒ１０であり、
Ｒ２はＨまたはＯＨであり、Ｒ３はＨまたはＯＨであり、Ｒ４はＨまたはＯＨであり、
Ｒ５はＨ、ＯＨ、ＮＲ９Ｒ１０、ＮＨＣＯＲ９、ＯＣＯＲ９、ＯＣＲ９、ハライド、ＣＯＯＲ９、またはＣＯＮＲ９Ｒ１０であり、
Ｒ６はＨ、ＯＨ、ＮＲ９Ｒ１０、ＮＨＣＯＲ９、ＯＣＯＲ９、ＯＣＲ９、ハライド、ＣＯＯＲ９、またはＣＯＮＲ９Ｒ１０であり、
Ｒ７はＨ、ＯＨ、Ｏまたはハライドであり、
Ｒ８はＨ、ＯＨ、ハライドまたはなし（Ｒ７がＯである時）であり、
Ｒ９は炭素数１〜６のアルキル、炭素数３〜６のシクロアルキルまたはＨであり、
Ｒ１０は炭素数１〜６のアルキル、炭素数３〜６のシクロアルキルまたはＨである］
の化合物を患者において該キナーゼ活性を抑制するのに有効な量で、患者において該望ましくない増殖を抑制するのに充分な量で投与することを含んでなる方法。
【請求項５】  
【化４】
2002519425.tif 000004
［式中、
ＺはＯまたは２Ｈ（この場合には二重結合は２つの単結合である）である］
を含んでなる物質。
【手続補正書】
【提出日】平成18年6月13日(2006.6.13)
【手続補正１】
【補正対象書類名】明細書
【補正対象項目名】請求項２４
【補正方法】変更
【補正の内容】
【請求項２４】  数多くの異なった仕上げで粉末被覆を製造するための粉末被覆性組成物中へ乾式混合により混合するための次の個々の粒状成分：
・（１）光沢減少成分、
（２）テクスチャー形成成分、
（３）メタリック顔料又は雲母顔料成分、及び
（４）着色用顔料又は顔料濃厚物成分
から選択された少なくとも一種の外観修正添加剤成分、並びに
・（ｉ）水酸化アルミニウムと一緒にしたアルミナ、
（ii）ワックス被覆シリカと一緒にしたアルミナ、
（iii)ワックス被覆シリカと一緒にした水酸化アルミニウム、
（iv）水酸化アルミニウム及びワックス被覆シリカと一緒にしたアルミナ、
（ｖ）ワックス被覆シリカ、
又は二種以上のそのような添加剤、
から選択された更に別の添加剤、
を含有するキット。